【事件の表示】
　特願２００９−１７０８０７「レポート作成支援装置」拒絶査定不服審判事件〔平成２２年　３月１８日出願公開、特開２０１０−　５７９０２〕について、次のとおり審決する。
【結　論】
　本件審判の請求は、成り立たない。
【理　由】
第１　手続の経緯
　本願は，平成２１年７月２２日(優先権主張　平成２０年８月６日)を出願日とする特許出願であって，平成２６年５月２６日付けで拒絶査定がされたところ，同年９月２日に拒絶査定不服審判の請求がなされ，それと同時に手続補正書が提出され，さらに同年１１月２８日付けで前置審査において拒絶理由通知書が出され，平成２７年２月３日付けで意見書及び手続補正書が提出されたものである。
　
第２　本願発明
　本願請求項１〜７に係る発明は，平成２７年２月３日付け手続補正書で補正された請求項１〜７に記載された事項により特定される発明であると認める。
　そのうち，請求項１に係る発明(以下，「本願発明」という。)は，分節して(a)〜(h)の符号を付けると，以下の事項により特定される発明である。
「【請求項１】
(a)　医用画像データに基づき医用画像を表示する第１の表示手段と，
(b)　読影レポートの所見の文字列を作成するための作成画面を表示する第２の表示手段と，
(c)　前記第１の表示手段及び前記第２の表示手段に画像を表示させる表示制御手段と，
(d)　前記第１の表示手段及び前記第２の表示手段に表示されるポインタを操作するための操作手段と，
(e)　前記ポインタにより前記第１の表示手段に表示されている前記医用画像上の位置の指定を受けて，該指定された位置または領域を示す位置特定符号の符号データを前記医用画像データに付加するアノテーション作成手段と，
(f)　前記符号データの付加された前記医用画像データを読み出すためのアドレス情報を取得するアドレス情報取得手段と，
(g)　前記第２の表示手段に表示されている前記作成画面上で前記ポインタにより指定された前記文字列のリンク対象に前記アドレス情報をリンク付けするリンク付手段と，を備え，
(h)　前記アノテーション作成手段は，前記医用画像上の指定された位置を示す前記位置特定符号を付加するか，前記領域を示す位置特定符号を付加するかの選択を受けて，該選択された位置特定符号の付加を行う
ことを特徴とするレポート作成支援装置。」
　
第３　平成２６年１１月２８日付け拒絶理由の概要
　前置審査における平成２６年１１月２８日付け拒絶理由の概要は，請求項１に係る発明に対する拒絶理由を含むものであって，請求項１に係る発明は，その出願の優先日前に日本国内又は外国において，頒布された下記の刊行物に記載された発明又は電気通信回線を通じて公衆に利用可能となった発明に基いて，その出願の優先日前にその発明の属する技術の分野における通常の知識を有する者が容易に発明をすることができたものであるから，特許法第２９条第２項の規定により特許を受けることができないというものである。
　　　　　　　　　　　　　　　　　記
刊行物１：特開２００４−３０５２８９号公報
刊行物４：特開２００１−１１８０１５号公報
　
第４　引用刊行物記載の事項
　下線は，当審にて付記したものである。
１　刊行物１記載の事項
(刊１−１)「【請求項１】
医用画像に対する読影レポートを作成する医用システムにおい
医用画像を表示する表示手段と
前記医用画像上の所見位置を指定する位置指定手段と
所見情報を入力する所見情報入力手段と
前記医用画像と，前記所見位置と，前記所見情報を関連付けてデータベースとして記憶手段とを備えることを特徴とする医用システム
　
(刊１−２)「【００１６】
操作者は，読影レポートの所見入力欄への入力を行うため，この画像一覧の中から１つの画像を選択する。
図５は
レポート端末装置６のモニタ１５に表示される画面の一例である
読影レポートの所見入力欄３３
医用画像３４，画像に付されている所見の位置を示すマーク３５
カーソル３７
　
(刊１−３)「【００１８】
医用画像に添付されていない所見を所見入力欄３３に入力する場合は
キーボード１９による文字入力を行う
医用画像をリンクする場合は，所見の文字情報を選択した後，リンクのアイコンを選択し，次に医用画像３５中の部位をカーソル３７等で指定する
所見の文字情報に対して，医用画像及び所見の位置を特定するためのリンク情報が関連付けられて記録される
次に操作者が終了（確定）のアイコンを選択すると，レポート端末装置６は読影レポートの保存要求を医用レポートサーバ５へ送る（ステップＳ１４）。この時，画像選択により読影レポートに添付された所見付きの医用画像３４と所見入力欄３３に入力された所見情報が読影レポートとして医用レポートサーバ５に送られる。医用レポートサーバ５は，送られてきた読影レポートをデータベースに保存する。」
　
(刊１−４)「【０００９】
本実施の形態においては，主にレポート端末装置６及び医用画像ビューア装置７の動作について説明する。図２は，レポート端末装置６及び医用画像ビューア装置７の構成を示している。
レポート端末装置６及び医用画像ビューア装置７は，パーソナルコンピュータ，ワークステーションをベースとして構成されており，回路間のデータ伝送を行うためのバス１０と，プログラムに従って処理を実行するマイクロプロセッサ（ＣＰＵ）１１と，マイクロプロセッサ１１で処理するプログラム及びデータを記憶する半導体メモリ（ＲＡＭ）１２と，プログラム及びデータを記憶する大容量記憶手段としての磁気記憶装置（ハードディスクドライブ）１３と，病院内ＬＡＮに接続するための通信回路１４と，画像を表示するモニタ１５と，モニタ１５に画像を表示させるための信号を生成する画像表示回路１６と，モニタの画面前面に取り付けられ押圧を検出するためのタッチパネル１７と，タッチパネル１７の信号から画面上の位置情報（座標情報）を求める位置検出回路１８と，文字入力を行うためのキーボード１９と，
カーソルの移動及びクリック操作を行うためのマウス２０
　
(刊１−５）【図５】
「
」
　
(刊１−６)「【００１２】
操作者は，この画面で，異常部位が観察し易くなるように各種画像処理のアイコンを操作して医用画像に対して画像処理を施して表示する（ステップＳ７）。所見入力を行う場合は，タッチパネル１７により医用画像中の異常部位をペン等により指定し，マイク２２に音声で所見を入力する。医用画像ビューア装置７は，入力された音声を，音声認識処理を用いて文字情報に変換し，その文字情報を指定部位に表示する（ステップＳ８）。この所見情報は，必要に応じて複数部位に付けることができる。尚，
医用画像中の部位指定は，マウス２０を操作してカーソル２９を動かすことによって行っても良い
　
(刊１−７)「【００３４】
以上，本発明を実施形態に基づき説明したが，本発明の思想の範疇において，当業者であれば，各種の変更例及び修正例に想到し得るものであり，それら変形例及び修正例についても本発明の範囲に属するものである。
例えば，上述の実施の形態ではレポート端末装置８として専用端末を用いるものとして説明したが，
ウェブブラウザにより読影レポートの表示を行うようにしても良い。この場合は，所見情報に付加するリンク情報をＵＲＬ（ホームページアドレス）としても良い
　
２．刊行物４記載の事項
(刊４−１)「【００６９】図２は，本実施例による３次元画像を用いた遠隔診療支援方法を説明する図である。１は共通３次元領域，２，３，４は共通３次元領域に配置された物体で，各々，人体の頭，脳，病変である。
５，６，７は物体を指し示す指示記号
マーカー，ポインタ，線描画（注目部位を囲む線）である。
　
(刊４−２)「【０１０４】これらマーカーの処理は，処理装置６４および８４が，前記各実施例で述べた手順にしたがって表示条件設定ステップ，表示条件伝送ステップ，３次元処理ステップで処理を行い，対応する操作コマンド（マーカーコマンド）をネットワーク１００を用いて伝送することで実現される。同様に双方の操作者は，
ボタンＰ（６９），メニューＰ（８９）を用いてポインタを配置することができ，ボタンＬ（７０），メニューＬ（９０）を用いて線描画を実現することができる
　
(刊４−３)【図５】
「
」
　
第５　刊行物１記載の発明
１　請求項１(刊１−１)には，
【請求項１】
「医用画像に対する読影レポートを作成する医用システムにおいて，
　医用画像を表示する表示手段と，
　前記医用画像上の所見位置を指定する位置指定手段と，
　所見情報を入力する所見情報入力手段と，
　前記医用画像と，前記所見位置と，前記所見情報を関連付けてデータベースとして記憶手段とを備えることを特徴とする医用システム。」
　と記載されている。
　
２　請求項１(刊１−１)の実施例である【図５】(刊１−５）に「読影レポートの所見入力欄３３」(刊１−２)及び「医用画像３４」(刊１−２)が一つの画面に同時に表示されていること，及び，「図５は，このモードにおいてレポート端末装置６の
モニタ１５に表示される
　
３　【図５】(刊１−５）には，矢印形の「カーソル３７」(刊１−２)がモニター画面上に表示され，「カーソルの移動及びクリック操作を行うためのマウス２０」(刊１−４)との記載に照らし，刊行物１には『(C)モニター画面上の矢印形のカーソルの移動及びクリック操作が行えるマウス』が記載されていることが理解される。
　
４　請求項１(刊１−１)の「前記医用画像上の所見位置を指定する位置指定手段」について，【図５】(刊１−５）の「医療画像３４」には，１，２，３等(「１，２，３」は，それぞれ，○の中に数字の入った文字を表す。以下，同様である。)の「マーク３５」(刊１−２)が付けられている。そして，その１，２，３等のマークに対応して，「所見位置３３」に１，２，３等の文字が記載され，その後に所見が記載されていることから，医用画像上の「マーク３５」は，請求項１(刊１−１)の「前記医用画像上の所見位置」に相当するものであることが理解される。
　そして，「医用画像中の部位指定は，マウス２０を操作してカーソル２９を動かすことによって行っても良い。」(刊１−６)と記載されている。
　よって，刊行物１には『(D)マウスを操作してカーソルを動かすことにより医療画像上の所見位置を指定する位置指定手段であって，前記医用画像上の指定した所見位置を１，２，３等のマークとして医療画像上に表示させる位置指定手段』が記載されていることが分かる。
５　請求項１(刊１−１)の「所見情報を入力する所見情報入力手段」には，「
医用画像に添付されていない所見を所見入力欄３３に入力する場合
キーボード１９による文字入力を行う
　
６　請求項１(刊１−１)の「前記医用画像と，前記所見位置と，前記所見情報を関連付けてデータベースとして記憶手段」について，関連づけは，次のように進むと解される。
(i)「操作者は，読影レポートの所見入力欄への入力を行うため，この画像一覧の中から１つの画像を選択する。」(刊１−２)
(ii)【図５】(刊１−５)には，モニター画面右下に「リンク」と記載されたアイコンが表示されており，「医用画像をリンクする場合は，所見の文字情報を選択した後，リンクのアイコンを選択し，次に医用画像３５中の部位をカーソル３７等で指定する。」(刊１−３)
(iii)「これにより，所見の文字情報に対して，医用画像及び所見の位置を特定するためのリンク情報が関連付けられて記録される。」(刊１−４)
　
　よって，刊行物１には，上記記載に照らして，『(F)  前記医用画像と，前記所見位置と，前記所見情報を関連付けてデータベースとして記憶する記憶手段とを備え，
　該記憶手段の動作は，次(i)〜(iii)のように進み，
(i)操作者は，読影レポートの所見入力欄への入力を行うため，この画像一覧の中から１つの画像を選択する。
(ii)医用画像をリンクする場合は，所見の文字情報を選択した後，モニター画面の右下のリンクのアイコンを選択し，次に医用画像３５中の部位をカーソル３７等で指定する。
(iii)これにより，所見の文字情報に対して，医用画像及び所見の位置を特定するためのリンク情報が関連付けられて記録される。』
ことが記載されていることが分かる。
　
７　小括
　請求項１(刊１−１)に，上記『』の事項を整理すると，刊行物１には，次の発明(以下，「引用発明」という。)が記載されていると認められる。
　
「医用画像に対する読影レポートを作成する医用システムにおいて，
(A)　医用画像を表示する表示手段と，
(B)　医用画像と読影レポートの所見入力欄は，モニターに同時に表示され，
(C)  モニター画面上の矢印形のカーソルの移動及びクリック操作が行えるマウスと，
(D)　マウスを操作してカーソルを動かすことにより医療画像上の所見位置を指定する位置指定手段であって，前記医用画像上の指定した所見位置を１，２，３等のマークとして医療画像上に表示させる位置指定手段と，
(E)  所見入力欄３３に，文字入力を行うキーボードを含む所見情報を入力する所見情報入力手段と
(F)  前記医用画像と，前記所見位置と，前記所見情報を関連付けてデータベースとして記憶する記憶手段とを備え，
　該記憶手段の動作は，次(i)〜(iii)のように進み，
(i)操作者は，読影レポートの所見入力欄への入力を行うため，この画像一覧の中から１つの画像を選択する。
(ii)医用画像をリンクする場合は，所見の文字情報を選択した後，モニター画面の右下のリンクのアイコンを選択し，次に医用画像３５中の部位をカーソル３７等で指定する。
(iii)これにより，所見の文字情報に対して，医用画像及び所見の位置を特定するためのリンク情報が関連付けられて記録される。
　以上(A)〜(F)を具備する読影レポートを作成する医用システム。」　
　
第６　対比
　本願発明と引用発明を対比する。
１　引用発明の「医用画像に対する読影レポートを作成する医用システム」は，本願発明の「レポート作成支援装置」に相当する。
　
２　引用発明の「(A)医用画像を表示する表示手段」は，「レポート端末装置６及び医用画像ビューア装置７は，パーソナルコンピュータ，ワークステーションをベースとして構成されて」(刊１−５)いるとの記載からみて，医療画像はコンピュータで扱い得るデータとして保存され表示するものであり，本願発明の「(a)医用画像データに基づき医用画像を表示する第１の表示手段」に相当する。
　
３　引用発明の「(B)医用画像と読影レポートの所見入力欄は，モニターに同時に表示され」る表示手段の所見入力欄には，「(E)  所見入力欄３３に，文字入力を行うキーボードを含む所見情報を入力する所見情報入力手段」により文字が入力されるものであるから，本願発明の「(b)　読影レポートの所見の文字列を作成するための作成画面を表示する第２の表示手段」に相当する。
　
４　引用発明の「(B)　医用画像と読影レポートの所見入力欄は，モニターに同時に表示され」る医用システムの表示制御手段は，本願発明の「(c)　前記第１の表示手段及び前記第２の表示手段に画像を表示させる表示制御手段」に相当する。
　
５　引用発明の「(C)  モニター画面上の矢印形のカーソル」は，本願発明の「ポインタ」に相当する。
　そして，引用発明の「(C)  モニター画面上の矢印形のカーソルの移動及びクリック操作が行えるマウス」は，矢印形のカーソルにより「(F)・・・所見入力欄の所見の文字情報である所見情報をカーソルで選択し，次いで，画面上のリンクと記載されたアイコンをカーソルで選択した後，医療画像の所見位置であるマークをカーソルで指定する」ことに使用され，医用画像と読影レポートの所見入力欄の双方を動き得るから，本願発明の「(d)　前記第１の表示手段及び前記第２の表示手段に表示されるポインタを操作するための操作手段」に相当する。
　
６　引用発明の「前記医用画像上の指定した所見位置」に表示される「１，２，３等のマーク」は，医療画像上の所見位置を特定するものであるから，「該指定された位置を示す位置特定符号の符号データ」に相当する。
　
　ところで，本願発明における「アノテーション」とは，「【００３３】・・・ここで，アノテーションとは矢印等の画像中の特定部分を指し示す符号である。・・・」との記載に照らし，画像中の特定部分を指し示す符号であると解される。
　他方，引用発明の「前記医用画像上の指定した所見位置」に表示される「１，２，３等のマーク」は，医療画像上の所見位置を特定できるものの，指し示す符号とはいえず，本願発明の「アノテーション」とは，「位置特定符号」という点で共通する。
　そうすると，引用発明の「(D)マウスを操作してカーソルを動かすことにより医療画像上の所見位置を指定する位置指定手段であって，前記医用画像上の指定した所見位置を１，２，３等のマークとして医療画像上に表示させる位置指定手段」と，本願発明の「(e)前記ポインタにより前記第１の表示手段に表示されている前記医用画像上の位置の指定を受けて，該指定された位置または領域を示す位置特定符号の符号データを前記医用画像データに付加するアノテーション作成手段」とは，「(e)前記ポインタにより前記第１の表示手段に表示されている前記医用画像上の位置の指定を受けて，該指定された位置を示す位置特定符号の符号データを前記医用画像データに付加する位置特定符号作成手段」という点で共通する。
　
７　引用発明の「医用画像」及び「１，２，３等のマーク」が付いた「所見位置」は，「(F)  前記医用画像と，前記所見位置と，前記所見情報を関連付けてデータベースとして記憶する記憶手段」に格納されるものであり，記憶された医用画像を含むデータを読み出すための何らかの情報付与手段が付けられていることは自明なことであるが，それがアドレス情報付与手段であるかは不明である。
　そうすると，引用発明の「(F)  前記医用画像と，前記所見位置と，前記所見情報を関連付けてデータベースとして記憶する記憶手段」に付いている記憶された医用画像を含むデータを読み出すための情報付与手段と，本願発明の「(f)　前記符号データの付加された前記医用画像データを読み出すためのアドレス情報を取得するアドレス情報取得手段」とは，「(f)　前記符号データの付加された前記医用画像データを読み出すための情報を取得する情報取得手段」という点で共通する。
　
８　本願発明の「(g)」の「前記アドレス情報」は「(f)　前記符号データの付加された前記医用画像データを読み出すためのアドレス情報」を意味するから，本願発明の「(g)」は，「(g)　前記第２の表示手段に表示されている前記作成画面上で前記ポインタにより指定された前記文字列のリンク対象に前記符号データの付加された前記医用画像データを読み出すためのアドレス情報をリンク付けするリンク付手段」を意味するものである。
　
　他方，引用発明の「(F)  前記医用画像と，前記所見位置と，前記所見情報を関連付けてデータベースとして記憶する記憶手段」は，「前記医用画像」，「前記所見位置」及び矢印形の「カーソル」により選択された「所見の文字情報」である「前記所見情報」とを関連付け，すなわち，リンク付けして記憶するものである。
　しかしながら「前記医用画像」と「前記所見情報」はリンク付けされていることは明らかであるが，前記医用画像データを読み出すためのアドレス情報とリンクされているか不明であって，本願発明の「(g)　前記第２の表示手段に表示されている前記作成画面上で前記ポインタにより指定された前記文字列のリンク対象に前記符号データの付加された前記医用画像データを読み出すためのアドレス情報をリンク付けするリンク付手段」とは，「(g)　前記第２の表示手段に表示されている前記作成画面上で前記ポインタにより指定された前記文字列のリンク対象に前記符号データの付加された前記医用画像データを読み出すための情報をリンク付けするリンク付手段」という点で共通する。
　
９　引用発明の「(D)　・・・前記医用画像上の指定した所見位置を１，２，３等のマークとして医療画像上に表示させる位置指定手段」は，位置指定手段ではあるが，領域を示す位置特定符号を付加するか選択できないので，本願発明の「(h)　前記アノテーション作成手段は，前記医用画像上の指定された位置を示す前記位置特定符号を付加するか，前記領域を示す位置特定符号を付加するかの選択を受けて，該選択された位置特定符号の付加を行う」こととは，「(h)　前記位置特定符号作成手段は，前記医用画像上の指定された位置を示す前記位置特定符号を付加する」点で共通する。
　
１０　小括
　以上の事項を総合すると，両発明の間には，次の(一致点)並びに(相違点１)及び(相違点２)がある。
　
(一致点)
「(a)　医用画像データに基づき医用画像を表示する第１の表示手段と，
(b)　読影レポートの所見の文字列を作成するための作成画面を表示する第２の表示手段と，
(c)　前記第１の表示手段及び前記第２の表示手段に画像を表示させる表示制御手段と，
(d)　前記第１の表示手段及び前記第２の表示手段に表示されるポインタを操作するための操作手段と，
(e)前記ポインタにより前記第１の表示手段に表示されている前記医用画像上の位置の指定を受けて，該指定された位置を示す位置特定符号の符号データを前記医用画像データに付加する特定部位を示す位置特定符号作成手段と，
(f)　前記符号データの付加された前記医用画像データを読み出すための情報を取得する情報取得手段と，
(g)　前記第２の表示手段に表示されている前記作成画面上で前記ポインタにより指定された前記文字列のリンク対象に前記符号データの付加された前記医用画像データを読み出すための情報をリンク付けするリンク付手段と，
(h)　前記位置特定符号作成手段は，前記医用画像上の指定された位置を示す前記位置特定符号を付加する
ことを特徴とするレポート作成支援装置。」
(相違点１)
　前記医用画像データを読み出すための情報が，本願発明では「アドレス情報」であるのに対して，引用発明では不明である点。
　
(相違点２)
　位置特定符号作成手段が，本願発明では指し示すことができる位置特定符号である「アノテーション作成手段」であり，「前記医用画像上の指定された位置を示す前記位置特定符号を付加するか，前記領域を示す位置特定符号を付加するかの選択を受けて，該選択された位置特定符号の付加を行う」ことができるのに対して，引用発明では，「前記医用画像上の指定した所見位置を１，２，３等のマークとして医療画像上に表示させる位置指定手段」であって，矢印のように指し示すことができるようなマークではなく，また，該指定された領域を示す位置特定符号を選択することができるものでもない点。
　
第７　検討・判断
１　相違点１について
　本願明細書の
「【００４２】
  アドレス取得部００６は，表示している医用画像３０１の識別情報の入力を表示制御部００１から受ける。そして，アドレス取得部００６は，入力された識別情報を基にデータ記憶部００４のデータベースを検索し，入力された識別情報を有する医用画像３０１，すなわち表示されている医用画像３０１の付帯情報の中から患者ＩＤ，検査ＵＩＤ，画像ＵＩＤ，及びシリーズＵＩＤを抽出する。さらに，アドレス取得部００６は，抽出した患者ＩＤ，検査ＵＩＤ，画像ＵＩＤ，及びシリーズＵＩＤを基に
ｈｔｍｌ形式で記載された医用画像３０１の記憶先アドレスのＵＲＬ
【００４３】
  アドレス取得部００６は，
作成したＵＲＬをリンク付部００７へ出力す
アドレス取得部００６が本発明における「アドレス取得手段」にあたる
との記載に鑑み，本願発明における「アドレス情報」とは，「ｈｔｍｌ形式で記載された医用画像３０１の記憶先アドレスのＵＲＬ」が含まれ，本願発明の「アドレス情報取得手段」とは，該ＵＲＬをリンク付部へ出力する手段を含むものと解される。
　
　他方，刊行物１には「ウェブブラウザにより読影レポートの表示を行うようにしても良い。この場合は，
所見情報に付加するリンク情報をＵＲＬ（ホームページアドレス）としても良い
　
　そうすると，「前記医用画像と，前記所見位置と，前記所見情報を関連付けてデータベースとして記憶する記憶手段」を有する引用発明において，所見情報に付加するリンク情報の対象として残る「前記医療画像」や「前記所見位置」をまとめてＵＲＬアドレスとしてリンクすることで，相違点１に記載の本願発明の特定事項のごとく構成することは，当業者にとって困難なことではない。
　
２　相違点２について
　一般的に読影レポートの作成に際し，医用画像上の所見位置は，病変が，広範囲に広がることもあるし，点のように限られた領域にあることもあることは技術常識である。
　読影レポートの医用画像上の所見位置において，矢印や領域を囲む線を用いることも下記刊行物Ａ及び刊行物Ｂに記載のように普通に行われている。
　
　他方，刊行物４(刊４−１)には，「病変」等を指し示す「指示記号」として，「マーカー，ポインタ，線描画（注目部位を囲む線）」が記載されている。「ポインタ」は，位置を指し示すことができる位置特定符号であるから，本願発明の「アノテーション」に相当するし，「線描画（注目部位を囲む線）」は，領域を指し示すことができる位置特定符号であるから本願発明の「アノテーション」に相当するものである。
　
　これら「指示記号」は，【図５】(刊４−３)に図示されたボタンＰやボタンＬを用いて，「
ボタンＰ（６９），メニューＰ（８９）を用いてポインタを配置することができ，ボタンＬ（７０），メニューＬ（９０）を用いて線描画を実現することができる
　
　そして，刊行物４に記載の技術事項は，遠隔診療支援システムに関するものであるが，前記したように読影レポートにおいて矢印や領域を囲む線を位置特定符号として用いることが慣用され，これら，位置特定符号は，遠隔診療支援システムで使用される医用画像であろうが，読影レポートの医用画像であろうが，疾患を特定するために使用されるという点で共通している。そして，様々な種類のアノテーションを選択可能に構成することは，一般的な文章作成アプリケーションにも搭載されているように，誰もが知る機能でもあり，遠隔診断支援システムに特有な機能ともいえない。そうすると，刊行物４に記載の技術事項を引用発明に適用することを妨げる事情は見いだせない。
　
　以上のことから，引用発明において，刊行物４記載の前記技術事項を採用し，相違点２に記載の本願発明の特定事項ごとく構成することは，当業者が容易になし得たことといえる。
　
刊行物Ａ：特開２００７−６６０１６号公報
「【００１７】
　　キー画像としては，病変部位が判り易く表されているスライス画像や，特に注目すべき部位が表されたスライス画像や，読影に適していると判断されたスライス画像が選択される。キー画像とされたスライス画像は，ＪＰＥＧ形式やビットマップ形式等の汎用の画像フォーマットに変換されて，読影レポート１０３に貼り付けられた状態で表示される。また，アノテーション（注釈）情報とは，検査画像を参照しながら医師によって入力される所見や，注意して観察すべき部分を示すために
キー画像上に表示される矢印等の記号や領域を囲む線のことである
　
刊行物Ｂ：特開２００８−２５３６８１号公報
「【００４３】
  例えば，データベース１０２は，「読影医Ａ」で表される利用者情報に対応させて，
「矢印」で腫瘍を指し示させるアノテーション
「円」で腫瘍を囲って示させるアノテーション
　
３　本願発明の効果について
　本願発明の効果は，刊行物１及び刊行物４から当業者が予測し得るものであって，格別顕著なものとはいえない。
　
第８　結語
　以上のとおり，本願発明は，刊行物１に記載された発明及び刊行物４に記載された技術事項に基づいて，当業者が容易に発明をすることができたものであるから，特許法第２９条第２項の規定により特許を受けることができないものであって，他の請求項に係る発明について検討するまでもなく，本願は拒絶すべきものである。
　よって，結論のとおり審決する。